(57)【特許請求の範囲】
【請求項１】
複数の像担持体と、
前記像担持体を帯電する帯電手段と、
前記像担持体に潜像を形成する露光手段と、
前記像担持体に形成された潜像をそれぞれ互いに異なる色のトナーからなる複数色のトナーで現像する現像手段と、
前記像担持体に形成された像を、前記像担持体と対向する転写位置を移動する第２の像担持体上に重ね合わせて転写してカラー像を得る第１の転写手段と、
前記第２の像担持体上に転写形成された像を転写材に転写する第２の転写手段と、
前記第２の像担持体上に転写されるテストパターンを前記像担持体に形成するテストパターン形成手段と、
主走査方向の相互に異なる位置のテストパターンを検知可能な複数のテストパターン検出手段と、
テストパターンの検出結果によって画像形成条件を変える制御手段と、を備え、
前記テストパターン形成手段は、テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成することを特徴とする画像形成装置。
【請求項２】
前記テストパターン形成手段は、テストパターンの主走査幅をａ、前記テストパターン検出手段の中心から光学特性保証領域端部までの主走査距離をｂ、色ずれ想定量をｃとするとき、（ａ／２＋ｃ）≧ｂである場合には該テストパターン検出手段により検知可能な位置にテストパターンを形成せず、（ａ／２＋ｃ）＜ｂである場合には該テストパターン検出手段により検知可能な位置にテストパターンを形成することを特徴とする請求項１記載の画像形成装置。
【請求項３】
前記テストパターン形成手段は、前記複数のテストパターン検出手段のうち主走査方向両端部に配置された２つのテストパターン検出手段に対して、テストパターンを形成するか否かの判定を行うことを特徴とする請求項２に記載の画像形成装置。
【請求項４】
複数の像担持体と、
前記像担持体を帯電する帯電手段と、
前記像担持体に潜像を形成する露光手段と、
前記像担持体に形成された潜像をそれぞれ互いに異なる色のトナーからなる複数色のトナーで現像する現像手段と、
前記像担持体に形成された像を、前記像担持体と対向する転写位置を移動する第２の像担持体上に重ね合わせて転写してカラー像を得る第１の転写手段と、
前記第２の像担持体上に転写形成された像を転写材に転写する第２の転写手段と、
前記第２の像担持体上に転写されるテストパターンを前記像担持体に形成するテストパターン形成手段と、
主走査方向の相互に異なる位置のテストパターンを検知可能な複数のテストパターン検出手段と、
テストパターンの検出結果によって画像形成条件を変える制御手段と、を備える画像形成装置で実行される画像形成方法であって、
前記テストパターン形成手段が、テストパターンの主走査幅を決定する工程と、
前記テストパターン形成手段が、テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成する工程と、
を含むことを特徴とする画像形成方法。
【請求項５】
複数の像担持体と、
前記像担持体を帯電する帯電手段と、
前記像担持体に潜像を形成する露光手段と、
前記像担持体に形成された潜像をそれぞれ互いに異なる色のトナーからなる複数色のトナーで現像する現像手段と、
前記像担持体に形成された像を、前記像担持体と対向する転写位置を移動する第２の像担持体上に重ね合わせて転写してカラー像を得る第１の転写手段と、
前記第２の像担持体上に転写形成された像を転写材に転写する第２の転写手段と、
前記第２の像担持体上に転写されるテストパターンを前記像担持体に形成するテストパターン形成手段と、
主走査方向の相互に異なる位置のテストパターンを検知可能な複数のテストパターン検出手段と、
テストパターンの検出結果によって画像形成条件を変える制御手段と、を備える画像形成装置に、
テストパターンの主走査幅を決定するステップと、
テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成するステップと、
を実行させるためのプログラム。
【請求項６】
請求項５に記載のプログラムを記憶したコンピュータ読み取り可能な記憶媒体。
【発明の詳細な説明】
【技術分野】
【０００１】
本発明は、画像を形成する画像形成装置及び方法及びプログラム並びにコンピュータ読み取り可能な記憶媒体に関する。
【背景技術】
【０００２】
コピー機や、コピー、ファックス、プリンタなどの複数の機能を一つの筐体に収納した複合機（マルチファンクション装置（ＭＦＰ：Multi  Function  Peripherals））等において、色ずれ補正や濃度補正などの画像調整は、中間転写ベルト上にトナーによるテストパターンを形成し、それをセンサで検出することにより行われている。テストパターンを検知する複数のセンサは、互いに主走査位置が異なる箇所に設置され、その各センサで検知できる中間転写ベルト上の位置にテストパターンが形成される。
【０００３】
また、画像調整の為に印刷動作ができない時間（ダウンタイム）を低減することが目的で、印刷と並行して主走査画像領域外の両端部にテストパターンを形成し、画像調整が行われている。
【０００４】
しかし、印刷と並行して主走査画像領域外の両端部にテストパターンを形成する上記の方法では、テストパターンを検知するためのセンサを画像領域外端部に配置する必要がある。そして、主走査幅の大きいテストパターンを形成する場合には、ＬＤ（レーザダイオード）走査光学系の光学特性保証領域外でＬＤを発光させなければならず、意図しない箇所への露光（フレア光）などにより、動作不具合や画像劣化を引き起こしてしまうという問題がある。
【０００５】
ここで、光学特性保証領域とは、走査するビームが感光体の狙いの領域に露光されることを保証した主走査方向の領域のことで、この範囲外では走査光学系のレンズ特性が保証されておらず、ビームを点灯させてしまうと意図しない箇所への露光が発生してしまうことになる。その意図しない露光が感光体で起こると、調整動作の失敗や画像劣化などの不具合が発生してしまう原因となり、その意図しない露光が同期検知板などのセンサで起こると、動作異常が発生してしまう原因となる。
【０００６】
なお、特許文献１には、画質調整によるダウンタイムを低減するために、画像端部のセンサに対してのみパターンを形成する方法が開示されている。また、特許文献２には、位置ずれ検知用パターンを確実に検知するために、大きな形状のパターンで大まかに補正する粗調を行ってから、小さな形状のパターンで細かく補正する微調を行う方法について開示されている。
【発明の概要】
【発明が解決しようとする課題】
【０００７】
しかし、特許文献１記載の技術は、画像形成と同時に画像領域外端部にパターンを形成し、画像領域内のセンサに対してパターンを形成しないものに過ぎないので、画像端部のセンサに対して形成するパターンが光学特性保証領域外になってしまう。つまり、光学特性保証領域外で光源が発光してしまう。特許文献２記載の技術でも、形成するパターンの大きさと検知センサの位置によっては、光学特性保証領域外で光源が発光してしまう。
【０００８】
本発明は、上記に鑑みてなされたものであって、光学特性保証領域外で光源が発光することを抑制することを目的とする。
【課題を解決するための手段】
【０００９】
上述した課題を解決し、目的を達成するために、本発明は、複数の像担持体と、前記像担持体を帯電する帯電手段と、前記像担持体に潜像を形成する露光手段と、前記像担持体に形成された潜像をそれぞれ互いに異なる色のトナーからなる複数色のトナーで現像する現像手段と、前記像担持体に形成された像を、前記像担持体と対向する転写位置を移動する第２の像担持体上に重ね合わせて転写してカラー像を得る第１の転写手段と、前記第２の像担持体上に転写形成された像を転写材に転写する第２の転写手段と、前記第２の像担持体上に転写されるテストパターンを前記像担持体に形成するテストパターン形成手段と、主走査方向の相互に異なる位置のテストパターンを検知可能な複数のテストパターン検出手段と、テストパターンの検出結果によって画像形成条件を変える制御手段と、を備え、前記テストパターン形成手段は、テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成することを特徴とする。
【００１０】
また、本発明は、複数の像担持体と、前記像担持体を帯電する帯電手段と、前記像担持体に潜像を形成する露光手段と、前記像担持体に形成された潜像をそれぞれ互いに異なる色のトナーからなる複数色のトナーで現像する現像手段と、前記像担持体に形成された像を、前記像担持体と対向する転写位置を移動する第２の像担持体上に重ね合わせて転写してカラー像を得る第１の転写手段と、前記第２の像担持体上に転写形成された像を転写材に転写する第２の転写手段と、前記第２の像担持体上に転写されるテストパターンを前記像担持体に形成するテストパターン形成手段と、主走査方向の相互に異なる位置のテストパターンを検知可能な複数のテストパターン検出手段と、テストパターンの検出結果によって画像形成条件を変える制御手段と、を備える画像形成装置で実行される画像形成方法であって、前記テストパターン形成手段が、テストパターンの主走査幅を決定する工程と、前記テストパターン形成手段が、テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成する工程と、を含むことを特徴とする。
【００１１】
また、本発明は、複数の像担持体と、前記像担持体を帯電する帯電手段と、前記像担持体に潜像を形成する露光手段と、前記像担持体に形成された潜像をそれぞれ互いに異なる色のトナーからなる複数色のトナーで現像する現像手段と、前記像担持体に形成された像を、前記像担持体と対向する転写位置を移動する第２の像担持体上に重ね合わせて転写してカラー像を得る第１の転写手段と、前記第２の像担持体上に転写形成された像を転写材に転写する第２の転写手段と、前記第２の像担持体上に転写されるテストパターンを前記像担持体に形成するテストパターン形成手段と、主走査方向の相互に異なる位置のテストパターンを検知可能な複数のテストパターン検出手段と、テストパターンの検出結果によって画像形成条件を変える制御手段と、を備える画像形成装置に、テストパターンの主走査幅を決定するステップと、テストパターンの主走査幅が光学特性保証領域端部からはみ出す場合には該テストパターン検出手段により検知可能な位置にテストパターンを形成せず、テストパターンの主走査幅が光学特性保証領域端部からはみ出さない場合には該テストパターン検出手段により検知可能な位置にテストパターンを形成するステップと、を実行させる。
【発明の効果】
【００１２】
本発明によれば、光学特性保証領域外で光源が発光することを抑制することができる。これにより、調整動作の失敗、画像劣化、動作異常の発生を抑制することができる。
【図面の簡単な説明】
【００１３】
【図１】図１は、本発明の実施の形態にかかる画像形成装置の構成を示すブロック図である。
【図２】図２は、図１の検出センサの内部の概略構成を示す図である。
【図３】図３は、検出センサの内部構成と共に、検出センサで検出したデータの処理を司る機能構成を示すブロック図である。
【図４】図４は、位置ずれ補正用パターン画像中のマークと、検出センサによるマークの検出信号の波形例とを示す図である。
【図５】図５は、検出センサによって走査される１組のマークを示す図である。
【図６】図６は、画像印刷と並行して補正用パターンを形成する場合の中間転写ベルト及び検知センサを示す図である。
【図７−１】図７−１は、補正用テストパターンが形成された中間転写ベルト及び検知センサを示す図である。
【図７−２】図７−２は、補正用テストパターンが形成された中間転写ベルト及び検知センサを示す図である。
【図８−１】図８−１は、補正用テストパターンが形成された中間転写ベルト及び検知センサを示す図である。
【図８−２】図８−２は、補正用テストパターンが形成された中間転写ベルト及び検知センサを示す図である。
【図９−１】図９−１は、補正用テストパターンが形成された中間転写ベルト及び検知センサを示す図である。
【図９−２】図９−２は、補正用テストパターンが形成された中間転写ベルト及び検知センサを示す図である。
【図１０】図１０は、本発明の実施の形態に係る色ずれ補正処理を示すフローチャートである。
【図１１】図１１は、本発明の実施の形態にかかる画像形成装置のハードウェア構成を示すブロック図である。
【発明を実施するための形態】
【００１４】
以下に添付図面を参照して、この発明にかかる画像形成装置の最良な実施の形態を詳細に説明する。図１は、本発明の実施の形態にかかる画像形成装置の構成を示すブロック図である。この画像形成装置１００は、例えば、ファクシミリ装置、印刷装置（プリンタ）、複写機、及び複合機を含む画像処理装置であり、半導体レーザ光源、ポリゴンミラーなどの光学要素を含む光学装置１０１と、例えば、ドラム状の感光体（「感光体ドラム」ともいう。）、帯電器、現像器などを含む像形成部１０２と、中間転写ベルトなどを含む転写部１０３を含んで構成される。
【００１５】
光学装置１０１は、レーザダイオード（ＬＤ）を含む半導体レーザ光源である複数の光源（図示省略）から放出された光ビームＢＭを、ポリゴンミラー１１０により偏向させ、ｆθレンズを含む走査レンズ１１１ａ，１１１ｂに入射させる。光ビームは、イエロー（Ｙ）、ブラック（Ｋ）、マゼンタ（Ｍ）、シアン（Ｃ）の各色の画像に対応した数が発生されており、それぞれ走査レンズ１１１ａ，１１１ｂを通過した後、反射ミラー１１２ｙ，１１２ｋ，１１２ｍ，１１２ｃで反射される。例えば、イエローの光ビームＹは走査レンズ１１１ａを透過して反射ミラー１１２ｙで反射されてＷＴＬレンズ１１３ｙへ入射される。ブラック、マゼンタ、シアンの各色の光ビームＫ，Ｍ，Ｃについても同様なので説明を省略する。
【００１６】
ＷＴＬレンズ１１３ｙ，１１３ｋ，１１３ｍ，１１３ｃは、それぞれ入射された各光ビームＹ，Ｋ，Ｍ，Ｃを整形した後、反射ミラー１１４ｙ，１１４ｋ，１１４ｍ，１１４ｃへと各光ビームＹ，Ｋ，Ｍ，Ｃを偏向させる。各光ビームＹ，Ｋ，Ｍ，Ｃはさらに反射ミラー１１５ｙ，１１５ｋ，１１５ｍ，１１５ｃで反射され、それぞれ露光のために使用される光ビームＹ，Ｋ，Ｍ，Ｃとして感光体ドラム（以下、「感光体」と略称する。）１２０ｙ，１２０ｋ，１２０ｍ，１２０ｃへと像状照射される。
【００１７】
感光体１２０ｙ，１２０ｋ，１２０ｍ，１２０ｃへの光ビームＹ，Ｋ，Ｍ，Ｃの照射は、上述したように複数の光学要素を使用して行われるため、感光体１２０ｙ，１２０ｋ，１２０ｍ，１２０ｃに対する主走査方向及び副走査方向に関して、タイミング同期が行われている。以下、感光体１２０ｙ，１２０ｋ，１２０ｍ，１２０ｃに対する主走査方向を、光ビームの走査方向として定義し、副走査方向を、主走査方向に対して直交する方向、すなわち、感光体１２０ｙ，１２０ｋ，１２０ｍ，１２０ｃの回転する方向として定義する。
【００１８】
感光体１２０ｙ，１２０ｋ，１２０ｍ，１２０ｃは、アルミニウムなどの導電性ドラム上に、少なくとも電荷発生層と電荷輸送層とを含む光導電層を備えている。光導電層は、それぞれ感光体１２０ｙ，１２０ｋ，１２０ｍ，１２０ｃに対応して配設され、コロトロン、スコロトロン又は帯電ローラなどを含んで構成される帯電器１２２ｙ，１２２ｋ，１２２ｍ，１２２ｃにより表面電荷が付与される。
【００１９】
各帯電器１２２ｙ，１２２ｋ，１２２ｍ，１２２ｃによって感光体１２０ｙ，１２０ｋ，１２０ｍ，１２０ｃ上にそれぞれ付与された静電荷は、光ビームＹ，Ｋ，Ｍ，Ｃによりそれぞれ像状露光される。これにより、感光体１２０ｙ，１２０ｋ，１２０ｍ，１２０ｃの被走査面上に静電潜像が形成される。
【００２０】
感光体１２０ｙ，１２０ｋ，１２０ｍ，１２０ｃの被走査面上にそれぞれ形成された静電潜像は、現像スリーブ、現像剤供給ローラ、規制ブレードなどを含む現像器１２１ｙ，１２１ｋ，１２１ｍ，１２１ｃによりそれぞれ現像される。これにより、感光体１２０ｙ，１２０ｋ，１２０ｍ，１２０ｃの被走査面上に現像剤像が形成される。
【００２１】
感光体１２０ｙ，１２０ｋ，１２０ｍ，１２０ｃの被走査面上に担持された各現像剤は、感光体１２０ｙ，１２０ｋ，１２０ｍ，１２０ｃに対する１次転写ローラ１３２ｙ，１３２ｋ，１３２ｍ，１３２ｃによって、搬送ローラ１３１ａ，１３１ｂ，１３１ｃにより矢印Ｄの方向に移動する中間転写ベルト１３０上に転写される。
【００２２】
中間転写ベルト１３０は、感光体１２０ｙ，１２０ｋ，１２０ｍ，１２０ｃの被走査面上からそれぞれ転写されたＹ，Ｋ，Ｍ，Ｃの現像剤を担持した状態で２次転写部へと搬送される。
【００２３】
２次転写部は、２次転写ベルト１３３と、搬送ローラ１３４ａ，１３４ｂとを含んで構成される。２次転写ベルト１３３は、搬送ローラ１３４ａ，１３４ｂにより矢印Ｅの方向に搬送される。２次転写部には、給紙カセットなどの用紙収容部Ｔから上質紙、プラスチックシートなどの受像材である用紙Ｐが搬送ローラ１３５により供給される。２次転写部は、２次転写バイアスを印加して、中間転写ベルト１３０上に担持された多色現像剤像を、２次転写ベルト１３３上に吸着保持された用紙Ｐに転写する。用紙Ｐは、２次転写ベルト１３３の搬送と共に定着装置１３６へと供給される。定着装置１３６は、シリコーンゴム、フッ素ゴムなどを含む定着ローラなどの定着部材１３７を含んで構成されており、用紙Ｐと多色現像剤像とを加圧加熱し、排紙ローラ１３８によって用紙Ｐを印刷物Ｐ’として画像形成装置１００の外部へと排出する。
【００２４】
多色現像剤像を転写した後の中間転写ベルト１３０は、クリーニングブレードを含むクリーニング部１３９によって転写残現像剤が除去された後、次の像形成プロセスへと供給される。
【００２５】
搬送ローラ１３１ａの近傍には、中間転写ベルト１３０上にカラー画像を形成させる際の画像形成条件を補正するためのパターン画像（「色ずれ補正用テストパターン画像」、「濃度補正用テストパターン画像」を含む。）を検出するための３個の検出センサ（「検知センサ」ともいう。）５ａ，５ｂ，５ｃが設けられている。この検出センサ５ａ，５ｂ，５ｃは、それぞれ公知の反射型フォトセンサを含む反射型検出センサを用いれば良い。各検出センサ５ａ，５ｂ，５ｃによる検出結果に基づいて、基準色に対する各色のスキュー（傾き）、主走査レジストずれ量、副走査レジストずれ量及び主走査倍率誤差を含む各種のずれ量を算出し、その算出結果に基づいて画質調整に係る各種のずれ量を補正し、中間転写ベルト１３０上にカラー画像を形成させる際の画像形成条件（位置ずれ補正、濃度補正）を補正し、画像調整時のテストパターン画像の生成に係る各種の処理を実行する。
【００２６】
図２は、図１に示した各検出センサ５ａ，５ｂ，５ｃの内部の概略構成を示す図である。各検出センサ５ａ，５ｂ，５ｃの内部構成は共通であり、図２には、検出センサ５ａについて図示をするが、各検出センサ５ｂ，５ｃについても同じなのでそれらの説明は省略する。
【００２７】
検出センサ５ａは、１つの発光部１０ａと、２つの受光部１１ａ，１２ａと、集光レンズ１３ａとを有する。発光部１０ａは、光を発生する発光素子であり、例えば、赤外光を発生する赤外光ＬＥＤである。また、受光部１１ａは、例えば、正反射型受光素子であり、受光部１２ａは、例えば、拡散反射型受光素子である。
【００２８】
この検出センサ５ａでは、発光部１０ａから発せられた光Ｌ１が、集光レンズ１３ａを透過した後、中間転写ベルト１３０のテストパターン（図示省略）に到達する。そして、その光の一部は、テストパターン形成領域やテストパターン形成領域のトナー層で正反射して正反射光Ｌ２になった後、集光レンズ１３ａを再透過して受光部１１ａに受光される。また、光の他の一部は、テストパターン形成領域やテストパターン形成領域のトナー層で拡散反射して拡散反射光Ｌ３となった後、集光レンズ１３ａを再透過して受光部１２ａに受光される。
【００２９】
なお、発光素子として、赤外光ＬＥＤに代えて、レーザ発光素子等を用いても良い。また、受光部１１ａ，１２ａ（正反射型受光素子、拡散反射型受光素子）としては、何れもフォトトランジスタを用いているが、フォトダイオードや増幅回路等からなるものを用いても良い。
【００３０】
図３は、画像形成装置１００の検出センサ５ａ，５ｂ，５ｃの内部構成と共に、画像形成装置１００の制御部における検出センサ５ａ，５ｂ，５ｃで検出したデータの処理を司る機能構成を示すブロック図である。画像形成装置１００の検出センサ５ａ，５ｂ，５ｃは、それぞれ発光部１０ａ，１０ｂ，１０ｃと受光部１１ａ，１１ｂ，１１ｃ，１２ａ，１２ｂ，１２ｃを備えている。なお、図２で示した集光レンズ１３ａ，１３ｂ，１３ｃの図示を省略している。
【００３１】
画像形成装置１００の制御部は、検出センサ５ａ，５ｂ，５ｃで検出したデータの処理に係る機能部として、ＣＰＵ１、ＲＯＭ２、ＲＡＭ３及びＩ／Ｏ（インプット／アウトプット）ポート４と、発光量制御部１４ａ，１４ｂ，１４ｃ、増幅部（ＡＭＰ）１５ａ，１５ｂ，１５ｃ、フィルタ部１６ａ，１６ｂ，１６ｃ、Ａ／Ｄ（アナログ／デジタル）変換部１７ａ，１７ｂ，１７ｃ、ＦＩＦＯ（First-In  First-Out）メモリ部１８ａ，１８ｂ，１８ｃ及びサンプリング制御部１９ａ，１９ｂ，１９ｃを備えている。
【００３２】
ＲＯＭ２には、中間転写ベルト１３０にカラー画像を形成させる際の画像形成条件を補正する補正処理、中間転写ベルト１３０にパターン画像を形成する際の主走査方向の位置ずれ量を算出する位置ずれ量算出処理、パターン画像補正処理を含む各種の処理をするためにＣＰＵ１が実行する手順からなるプログラムをはじめ、この画像形成装置１００を制御するための各種のプログラムが格納されている。
【００３３】
ＣＰＵ１は、受光部１１ａ，１１ｂ，１１ｃからの検知信号を適切なタイミングでモニタしており、搬送ベルト及び発光部１０ａ，１０ｂ，１０ｃの劣化等が起こっても確実に検知ができるように、発光量制御部１４ａ，１４ｂ，１４ｃによって発光量を制御しており、受光部１１ａ，１１ｂ，１１ｃからの受光信号のレベルが常に一定になるようにしている。ＲＡＭ３は、例えば、ＮＶＲＡＭであり、各種のパラメータも記憶する。
【００３４】
次に、図３を参照しながら、検出センサ５ａ，５ｂ，５ｃで検出されたデータの処理について説明する。ＣＰＵ１は、ＲＡＭ３を作業領域としてＲＯＭ２に格納されているプログラムを実行し、後に詳述するテストパターン画像の検出時に、Ｉ／Ｏポート４を介して発光量制御部１４ａ，１４ｂ，１４ｃを制御し、検出センサ５ａ，５ｂ，５ｃのそれぞれの発光部１０ａ，１０ｂ，１０ｃから所定の光量の光ビームをそれぞれ照射する。
【００３５】
まず、検出センサ５ａの発光部１０ａから発せられた光ビームについて説明すると、その光ビームはテストパターン画像に照射され、その反射光を検出センサ５ａの受光部１１ａ，１２ａがそれぞれ受光する。受光部１１ａ，１２ａは、それぞれ受光した光ビームの光量に応じたデータ信号を増幅部１５ａへ送る。増幅部１５ａは、そのデータ信号増幅してフィルタ部１６ａへ送る。フィルタ部１６ａは、増幅部１５ａの出力信号の内のライン検知の信号成分のみを通過させてＡ／Ｄ変換部１７ａへ送る。Ａ／Ｄ変換部１７ａは、フィルタ部１６ａの出力信号をアナログデータからデジタルデータに変換する。そして、サンプリング制御部１９ａは、Ａ／Ｄ変換部１７ａで変換されたデジタルデータをサンプリングしてＦＩＦＯメモリ部１８ａに格納する。
【００３６】
上述と同様にして、検出センサ５ｂの受光部１１ｂ，１２ｂから得られたデータ信号について、サンプリングされたデジタルデータがＦＩＦＯメモリ部１８ｂに格納され、検出センサ５ｃの受光部１１ｃ，１２ｃから得られたデータ信号について、サンプリングされたデジタルデータがＦＩＦＯメモリ部１８ｃに格納される。
【００３７】
このようにしてテストパターン画像の検出が終了した後、ＦＩＦＯメモリ部１８ａ，１８ｂ，１８ｃにそれぞれ格納されているデジタルデータを、Ｉ／Ｏポート４を介してデータバスによりＣＰＵ１及びＲＡＭ３にロードし、ＣＰＵ１は、ＲＯＭ２に格納されているプログラムを実行することにより、その各データについて所定の演算処理を行い、中間転写ベルト１３０にカラー画像を形成させる際の画像形成条件を補正する補正処理、中間転写ベルト１３０にパターン画像を形成する際の主走査方向の位置ずれ量を算出する位置ずれ量算出処理、パターン画像補正処理を含む各種の処理を実行する。
【００３８】
このように、ＣＰＵ１とＲＯＭ２とが、画像形成装置１００の全体の動作を制御すると共に、検出センサ５ａ，５ｂ，５ｃで検出されたデータの処理を司る制御手段として機能し、補正手段、位置ずれ量算出手段、パターン画像補正手段の機能を果たす。また、パターン画像補正手段を無効にする手段の機能も果たす。
【００３９】
次に、テストパターン画像として位置ずれ補正用パターン画像を用いた場合について説明する。図４は、位置ずれ補正用パターン画像中のマークと、検出センサによるマークの検出信号の波形例とを示す図である。
【００４０】
位置ずれ補正用パターン画像は、正反射光用の位置合わせのための所定のパターンのマークの集合であり、１組のマーク３０は、図４に示すように、Ｙ，Ｋ，Ｍ，Ｃの順に形成された横線パターン（「水平パターン」ともいう。）と斜め線パターン（「斜めパターン」ともいう。）とを含む。このようなマーク３０を副走査方向に８組並べたものを、各検出センサ５ａ，５ｂ，５ｃに対応させて主走査方向に３列並べることで、位置ずれ補正用パターン画像とする。
【００４１】
横線パターンは、感光体１２０ｙ，１２０ｋ，１２０ｍ，１２０ｃの主走査方向に対して横向きで所定幅と所定長を持った４本の横向きパターンである。斜め線パターンは、感光体１２０ｙ，１２０ｋ，１２０ｍ，１２０ｃの主走査方向に対して所定の傾斜角（例えば、４５°）を持たせて所定幅と所定長を持った４本の斜め向きパターンである。この位置ずれ補正用パターン画像は、感光体１２０ｙ，１２０ｋ，１２０ｍ，１２０ｃにそれぞれＹ，Ｋ，Ｍ，Ｃの色に対応する８組×３列分の横線パターン及び斜め線パターンを形成し、中間転写ベルト１３０上に転写することで、図４に示すような配置で中間転写ベルト１３０上に形成する。
【００４２】
図４に示す一点鎖線３１ａ，３１ｂ，３１ｃは、それぞれ各検出センサ５ａ，５ｂ，５ｃの中心部が中間転写ベルト１３０上の副走査方向に走査する軌跡を示している。図４では、各検出センサ５ａ，５ｂ，５ｃの中心部が位置ずれ補正用パターン画像の中心部を通過している理想の軌跡の例を示している。
【００４３】
なお、図４には、中間転写ベルト１３０上に、中間転写ベルト１３０の搬送方向の先頭からＹ，Ｋ，Ｍ，Ｃの順に並ぶように横線パターン及び斜め線パターンを形成した例を示したが、横線パターン及び斜め線パターンのそれぞれの色の並びは他の並びにしても良い。
【００４４】
そして、中間転写ベルト１３０上に形成された位置ずれ補正用パターン画像の３列のマーク列を、それぞれ主走査方向に並べられた検出センサ５ａ，５ｂ，５ｃによって検出する。
【００４５】
図４に示す波形１４０は、検出センサ５ａが図４に示した位置ずれ補正用パターン画像のマーク３０を検出したときの検出レベル（検出信号）の変化例を示している。なお、他の検出センサ５ｂ，５ｃについても同様の波形が得られるので、図示を省略する。
【００４６】
検出センサ５ａ，５ｂ，５ｃは、横線パターンと斜め線パターン以外の部分では中間転写ベルト１３０を検出するので、例えば、中間転写ベルト１３０が白色の場合、その検出レベルを基準レベルとすると、色付きの横線パターンと斜め線パターンの箇所では検出レベルが低下する。
【００４７】
図４の破線１４１で示すスレッシュホールド電圧レベル（電圧値）は、中間転写ベルト１３０の汚れなどで検出レベルが低下した場合でも、このスレッシュホールド電圧値を超えてレベル低下がみられた箇所を横線パターン又は斜め線パターンと検出するための閾値である。
【００４８】
検出センサ５ａ，５ｂ，５ｃによって位置ずれ補正用パターン画像の８組分の各横線パターンと各斜め線パターンの位置を検出し、その検出結果に基づいて基準色（例えば、ブラック：Ｋ）に対する他の色（イエロー：Ｙ、シアン：Ｃ、マゼンタ：Ｍ）のスキュー、主走査レジストずれ量、副走査レジストずれ量及び主走査倍率誤差を計測する。この計測値に基づいて、検出センサ５ａ，５ｂ，５ｃの中心位置と位置ずれ補正用パターン画像の中心位置とのずれ量を求め、次回の位置ずれ補正用パターン画像の形成時に参照する位置ずれ量として記憶する。また、スキュー、主走査レジストずれ量、副走査レジストずれ量及び主走査倍率誤差の各種のずれ量の補正値を求めることができる。
【００４９】
さらに、検出センサ５ａ，５ｂ，５ｃによって３列分のマーク列を検出し、その各検出結果の平均値を算出すれば、その算出結果からスキュー、副走査レジストずれ、主走査レジストずれ及び主走査倍率誤差のずれ量を求めることにより、各色のずれ量を精度良く求めることができ、そのずれ量を補正することによって各色のずれが極めて少ない高画質の画像を形成できる。
【００５０】
各種の位置ずれ量、補正量の算出及び補正の実行命令は、図示を省略した公知の補正量算出部により行われる。そして、検出の終わった位置ずれ補正用パターン画像は、図１のクリーニング部１３９によって除去される。
【００５１】
図４の位置ずれ補正用パターン画像を検出したときの各種位置ずれ量の具体的な算出方法について図５を用いて説明する。図５は、検出センサ５ａと検出センサ５ａによって走査される１組のマークを示す図である。ここでは、検出センサ５ａによって位置ずれ補正用パターン画像のマークを検出する場合で説明するが、他の検出センサ５ｂ，５ｃについても同様に行う。
【００５２】
検出センサ５ａは、位置ずれ補正用パターン画像の横線パターン及び斜め線パターンを、予め決められた一定のサンプリング間隔で検出し、図３のＣＰＵ１へ通知する。ＣＰＵ１は、検出センサ５ａから横線パターン及び斜め線パターンの検出の通知を次々と受け取ると、検出の通知の間隔とサンプリング時間間隔とに基づいて各横線パターン間及び各横線パターンとそれぞれ対応する斜め線パターンとの間の距離を算出する。このようにして、１組のマーク３０中の同じ色の各横線パターン間と各横線パターンとそれぞれ対応する斜め線パターンとの間の長さを求め、その求めた各々の長さを比較することによって各種の位置ずれ量を算出することができる。
【００５３】
まず、副走査レジストずれ量（副走査方向の色ずれ量）の算出では、横線パターンを使用し、基準色（Ｋ）と対象色（Ｙ，Ｍ，Ｃ）の各パターンとの間隔値（ｙ１，ｍ１，ｃ１）を算出し、予め記憶させておいた理想の間隔値（ｙ０，ｍ０，ｃ０）と比較し、（間隔値ｙ１−理想の間隔値ｙ０）、（間隔値ｍ１−理想の間隔値ｍ０）、（間隔値ｃ１−理想の間隔値ｃ０）から基準色（Ｋ）に対する対象色（Ｙ，Ｍ，Ｃ）の位置ずれ量を算出できる。
【００５４】
また、主走査レジストずれ量（主走査方向の色ずれ量）の算出では、まず、Ｋ，Ｙ，Ｍ，Ｃの各色の横線パターンと斜め線パターンとの間隔値（ｙ２，ｋ２，ｍ２，ｃ２）を算出する。その算出した間隔値を用いて、基準色（Ｋ）の間隔値と非基準色の間隔値との差分値を算出する。その差分値が主走査方向の位置ずれ量に相当する。これは、斜め線パターンを、主走査方向に対して所定の角度だけ傾斜させているため、主走査方向にずれを生じている場合、横線パターンとの間隔が他の色についての間隔よりも広がったり狭まったりするためである。すなわち、ブラックとイエロー、ブラックとマゼンタ、ブラックとシアンの主走査方向の位置ずれ量は、（間隔値ｋ２−間隔値ｙ２）、（間隔値ｋ２−間隔値ｍ２）、（間隔値ｋ２−間隔値ｃ２）で求められる。このようにして、副走査方向及び主走査方向のレジストずれ量を取得することができる。
【００５５】
さらに、各検出センサ５ａ，５ｂ，５ｃの異なるもの同士の検出結果に基づいてスキューと主走査倍率誤差についても求めることができる。まず、スキュー成分の算出では、検出センサ５ａと検出センサ５ｃでそれぞれ検出される副走査レジストずれ量の差分を算出することで取得することができる。また、倍率誤差偏差の算出では、検出センサ５ａと検出センサ５ｂ、検出センサ５ｂと検出センサ５ｃのそれぞれの主走査レジストずれ量の差分を算出することで取得することができる。そして、上述のようにして取得した各種の位置ずれ量に基づいて、中間転写ベルト１３０にカラー画像を形成させる際の画像形成条件を補正する補正処理を実行する。
【００５６】
補正処理としては、例えば、位置ずれ量がほぼ一致するように感光体１２０ｙ，１２０ｋ，１２０ｍ，１２０ｃに対する光ビームＹ，Ｋ，Ｍ，Ｃの発光タイミングを調整することにより行う。また、光ビームを反射する図示を省略した反射ミラーの傾きを調整することにより行うこともできる。反射ミラーの傾きの調整は、図示を省略したステッピングモータを駆動させて行う。なお、画像データを変更することによって位置ずれ量を補正することもできる。このようにして、副走査方向及び主走査方向のレジストずれ量を取得することができる。
【００５７】
図６は、画像印刷と並行して補正用パターンを形成する場合の中間転写ベルト１３０及び検知センサ５ａ，５ｂ，５ｃを示す図である。画像印刷と並行して補正用テストパターンを形成する場合、複数のテストパターン検知センサのうち、１つ以上を印刷画像の主走査方向の画像領域外端部に配置する必要がある。図６では、３つの検知センサ５ａ，５ｂ，５ｃのうち、左右２箇所の検知センサ５ａ，５ｃを画像領域外端部に配置している構成である。なお、画像印刷と並行して補正用テストパターンを形成しない画像形成装置の場合は、画像領域内での調整値を取得するため、複数の検知センサ全てを印刷画像領域内に配置している場合が多い。
【００５８】
図７−１、図７−２は、補正用テストパターンの主走査幅を変更する場合の中間転写ベルト１３０及び検知センサ５ａ，５ｂ，５ｃを示す図である。補正用テストパターンの主走査幅は、調整実行タイミングなどで変更する場合がある。図７−１、図７−２では、色ずれ補正時の、微調と粗調の例を示す。図７−１に示す微調は色ずれが小さいと想定される場合に実施され、より高い精度での色ずれ補正を目的とする場合の調整である。この場合、形成するテストパターンの主走査幅は想定する色ずれに応じて小さくすることができ、各色の横線パターン及び斜め線パターンで構成されるマークをセンサごとに複数形成することにより高い精度での調整を行う。
【００５９】
それに対し、図７−２に示す粗調は色ずれが大きいと想定される場合に実施され、精度の高い色ずれ補正を目的としておらず、大きな色ずれが発生している場合でも確実に色ずれ調整を行うことを目的としている。この場合、形成するパターンの主走査幅は想定する色ずれに応じて大きくしなければならず、各色の横線パターン及び斜め線パターンで構成されるマークをセンサごとに１組又は微調時よりも少ない組数形成する。微調と粗調は前回色ずれ補正実行時からの温度変化、経過時間、印刷枚数等に応じてどちらを実施するかが決められる。
【００６０】
図６に示す検知センサ構成且つ図７−１、図７−２の様にテストパターンの主走査幅を変更する場合に、装置ごとに設定されている光学特性保証領域外でＬＤが発光してしまう恐れがある。ここで、光学特性保証領域とは、走査するビームが感光体の狙いの領域に露光されることを保証した主走査方向の領域のことで、この範囲外では走査光学系のレンズ特性が保証されておらず、ビームを点灯させてしまうと意図しない箇所への露光が発生してしまうことになる。その意図しない露光が感光体で起こると調整動作の失敗や画像劣化などの不具合が発生してしまう原因となり、その意図しない露光が同期検知板などのセンサで起こると動作異常が発生してしまう原因となる。
【００６１】
そこで、本実施の形態の画像形成装置は、形成するテストパターンの主走査幅に応じてテストパターンを形成する対象のセンサを変更する。図８−１、図８−２は、補正用テストパターンの主走査幅を変更する場合の中間転写ベルト１３０及び検知センサ５ａ，５ｂ，５ｃを示す図である。図８−１に示すテストパターンの主走査幅の小さい色ずれ微調時には、全てのセンサに対応する位置にテストパターンを形成しており、一方、図８−２に示すテストパターンの主走査幅の大きい色ずれ粗調時には、光学特性保証領域よりはみ出してしまうテストパターンを形成しない。
【００６２】
ここで、各検知センサに対してテストパターンを形成するか否かは、「テストパターンの主走査幅：ａ」と「センサ中心から光学特性保証領域端部までの主走査距離：ｂ」と「想定の色ずれ量：ｃ」から、（ａ／２＋ｃ）≧ｂとなる場合は該検知センサに対応する位置にテストパターンを形成せず、（ａ／２＋ｃ）＜ｂの場合はテストパターンを形成するという様な条件により判定することができる。ここで、「想定の色ずれ量：ｃ」とは、テストパターン生成時に、想定している最大の色ずれ量（＝テストパターンの移動量）であり、走査ビーム光学系の特性（１℃あたりの露光ビームの主走査位置変化量）と前回色ずれ補正時からの温度変化を乗算することにより決定される値である。また、この判断を主走査方向の両端に配置される検知センサに対してのみ行うことで、判定に要する処理回数を最小限にすることができる。
【００６３】
図９−１、図９−２は、検知センサを３つより多く備える場合に、補正用テストパターンの主走査幅に応じてテストパターンを形成する場所を変更する本実施の形態の変形例を示す図である。図９−１、図９−２では、図中左から右に向かって、検知センサ５ａ，５ｄ，５ｂ，５ｅ，５ｃの５つの検知センサが配置されている。色ずれ微調時は、図９−１に示すように、検知センサ５ａ，５ｂ，５ｃに対応する位置にテストパターンを形成し、色ずれ粗調時には、図９−２に示すように、検知センサ５ｄ，５ｂ，５ｅに対応する位置にテストパターンを形成することで、光学特性保証領域外でのＬＤ発光を防止することができる。
【００６４】
図１０は、本実施の形態に係る色ずれ補正処理を示すフローチャートである。ＣＰＵ１は、ステップＳ１２として、検知センサ５ａに関して、（ａ／２＋ｃ）＜ｂであるか否かを判定する。ＣＰＵ１は、ステップＳ１２で（ａ／２＋ｃ）＜ｂである（Ｙｅｓ）と判定したら、ステップＳ１４として、検知センサ５ａに対するテストパターン形成を制御するフラグをＯＮにする。
【００６５】
ＣＰＵ１は、ステップＳ１２で（ａ／２＋ｃ）＜ｂではない（Ｎｏ）と判定したら又はステップＳ１４を実行したら、ステップＳ１６として、検知センサ５ｂに関して、（ａ／２＋ｃ）＜ｂであるか否かを判定する。ＣＰＵ１は、ステップＳ１６で（ａ／２＋ｃ）＜ｂである（Ｙｅｓ）と判定したら、ステップＳ１８として、検知センサ５ｂに対するテストパターン形成を制御するフラグをＯＮにする。
【００６６】
ＣＰＵ１は、ステップＳ１６で（ａ／２＋ｃ）＜ｂではない（Ｎｏ）と判定したら又はステップＳ１８を実行したら、ステップＳ２０として、検知センサ５ｃに関して、（ａ／２＋ｃ）＜ｂであるか否かを判定する。ＣＰＵ１は、ステップＳ２０で（ａ／２＋ｃ）＜ｂである（Ｙｅｓ）と判定したら、ステップＳ２２として、検知センサ５ｃに対するテストパターン形成を制御するフラグをＯＮにする。
【００６７】
ＣＰＵ１は、ステップＳ２０で（ａ／２＋ｃ）＜ｂではない（Ｎｏ）と判定したら又はステップＳ２２を実行したら、ステップＳ２４として、テストパターン形成を制御するフラグをＯＮにした検知センサに対応する位置にテストパターンを形成する。テストパターンが形成された位置に対応する検知センサは、ステップＳ２６として、テストパターンを検知する。ＣＰＵ１は、ステップＳ２８として、ステップＳ２６で検知されたテストパターンに基づいて色ずれ補正量を算出する。
【００６８】
本実施の形態によれば、微調、粗調などの条件に応じてテストパターンの主走査幅を決定し、該主走査幅に応じて、検知センサ５ａ，５ｂ，５ｃに対応する位置にテストパターンを形成するか否かを選択的に切り替えることができる。これにより、光学特性保証領域外でビームが点灯してしまうことを抑制することができる。従って、調整動作の失敗、画像劣化、動作異常等を抑制することができる。
【００６９】
図１１は、本実施の形態にかかる画像形成装置のハードウェア構成を示すブロック図である。本図に示すように、この画像形成装置１００は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ１０は、画像形成装置１００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００７０】
コントローラ１０は、ＣＰＵ１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１８とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）２と、ＲＡＭ（Ｒａｎｄｏｍ  Ａｃｃｅｓｓ  Ｍｅｍｏｒｙ)３と、をさらに有する。
【００７１】
ＣＰＵ１は、画像形成装置１００の全体制御をおこなうものであり、ＮＢ１３、ＭＥＭ−Ｐ１２およびＳＢ１４からなるチップセットを有し、このチップセットを介して他の機器と接続される。
【００７２】
ＮＢ１３は、ＣＰＵ１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００７３】
ＭＥＭ−Ｐ１２は、プログラムやデータの格納用メモリ、プログラムやデータの展開用メモリ、プリンタの描画用メモリなどとして用いるシステムメモリであり、ＲＯＭ２とＲＡＭ３とからなる。ＲＯＭ２は、プログラムやデータの格納用メモリとして用いる読み出し専用のメモリであり、ＲＡＭ３は、プログラムやデータの展開用メモリ、プリンタの描画用メモリなどとして用いる書き込みおよび読み出し可能なメモリである。
【００７４】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００７５】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｃｓｉｍｉｌｅ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【００７６】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【００７７】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００７８】
なお、本実施の形態の画像形成装置で実行されるプログラムは、ＲＯＭ等に予め組み込まれて提供される。本実施の形態の画像形成装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７９】
さらに、本実施の形態の画像形成装置で実行されるプログラムを、インターネット等のネットワークに接続されたコンピュータ上に格納し、ネットワーク経由でダウンロードさせることにより提供するように構成しても良い。また、本実施の形態の画像形成装置で実行されるプログラムをインターネット等のネットワーク経由で提供または配布するように構成しても良い。
【００８０】
本実施の形態の画像形成装置で実行されるプログラムは、上述した各部（制御手段）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。
【００８１】
なお、上記実施の形態では、本発明の画像形成装置を、コピー機能、プリンタ機能、スキャナ機能およびファクシミリ機能のうち少なくとも２つの機能を有する複合機に適用した例を挙げて説明したが、複写機、プリンタ、スキャナ装置、ファクシミリ装置等の画像形成装置であればいずれにも適用することができる。
【符号の説明】
【００８２】
１  ＣＰＵ
２  ＲＯＭ
３  ＲＡＭ
５ａ，５ｂ，５ｃ  検知センサ
１００  画像形成装置
１０１  光学装置
１０２  像形成部
１０３  転写部
１２０ｙ，１２０ｋ，１２０ｍ，１２０ｃ  感光体
１３０  中間転写ベルト
【先行技術文献】
【特許文献】
【００８３】
【特許文献１】特開２００９−１６９０３１号公報
【特許文献２】特開平１１−１０２０９８号公報
【図１】
0005772335.tif 000002
【図２】
0005772335.tif 000003
【図３】
0005772335.tif 000004
【図４】
0005772335.tif 000005
【図５】
0005772335.tif 000006
【図６】
0005772335.tif 000007
【図７−１】
0005772335.tif 000008
【図７−２】
0005772335.tif 000009
【図８−１】
0005772335.tif 000010
【図８−２】
0005772335.tif 000011
【図９−１】
0005772335.tif 000012
【図９−２】
0005772335.tif 000013
【図１０】
0005772335.tif 000014
【図１１】
0005772335.tif 000015